(57)【要約】【課題】貯留槽と連通する複数の流路の開口を、高さの異なる地表に配置する場合において、貯留槽に溜めた水の水位が上昇した際に、流路の開口からの水の噴出を防止、又は噴出の勢いを低減することができる地下貯留装置及び地下貯留方法を提供することである。【解決手段】地下に埋設する貯留槽２と、前記貯留槽２と地表５０を連通する複数の流路を備えた地下貯留装置に、開口２１ａと、開口２１ａを開閉可能な閉塞部材７とを有する仕切部５を各流路にそれぞれ設置し、流路内の水位が規定の高さに達した際に前記閉塞部材７が開口２１ａを閉じる。【選択図】図１
2011017182.tif 000002
【特許請求の範囲】
【請求項１】
雨水や排水を貯留する地下に埋設する貯留槽と、前記貯留槽と地表を連通し雨水や排水が流れ込む縦方向の流路と、を備えた地下貯留装置であって、
前記流路の上下方向の途中箇所に仕切部が設けられており、前記仕切部は開口と、前記仕切部の下方に設けられて前記開口を開閉可能な閉塞部材とを有し、前記閉塞部材が、流路内の水位に応じて浮沈可能であり、流路内の水位が規定の高さに達すると前記閉塞部材が開口を閉じるように構成されたことを特徴とする地下貯留装置。
【請求項２】
前記流路の途中には仕切部より上側に、流路内に貯まった水が排出される排水管が接続されていることを特徴とする請求項１に記載の地下貯留装置。
【請求項３】
前記貯留槽から地表へと連通する点検用縦孔が設けられており、前記点検用縦孔の地表側開口が、水平高さにおいて前記流路内の前記仕切部より上方に設けられていることを特徴とする請求項１又は２のいずれかに記載の地下貯留装置。
【請求項４】
前記流路の側面には、雨水や排水を流入させるための流入管が接続され、前記流入管の接続位置が前記仕切部より上方であることを特徴とする請求項１乃至３のいずれかに記載の地下貯留装置。
【請求項５】
前記閉塞部材が繊維強化発泡樹脂を有することを特徴とする請求項１乃至４のいずれかに記載の地下貯留装置。
【請求項６】
請求項１乃至５のいずれかに記載の地下貯留装置を用いたことを特徴とする地下貯留方法。
【発明の詳細な説明】
【技術分野】
【０００１】
本発明は、雨水等を貯留する地下貯留装置及び地下貯留方法に関するものである。
【背景技術】
【０００２】
近年、都市部等では地面がアスファルトやコンクリートで舗装されており、雨水が地面に浸透しないため、降った雨水が氾濫することによって水害が発生するという問題がある。この問題を解決するために様々な雨水対策がなされている。
【０００３】
そのような都市部における雨水対策として、特許文献１に開示されている発明がある。
【０００４】
特許文献１に開示されている発明は、２つのマンホールと、各マンホールに接続される有孔形管と、雨水誘導設備又は雨水貯蓄設備とを設け、貯水した雨水を有孔形管やマンホールの底から地下へ浸透させる雨水地下浸透設備及び雨水地下浸透工法である。
【先行技術文献】
【特許文献】
【０００５】
【特許文献１】特開２００３−２９３４３７号公報
【０００６】
しかし、特許文献１に開示されている発明は、地下に浸透可能な時間当たりの雨水の量が地質によって決まるため、水を吸収しにくい地質を有する土地ではその効果が十分に発揮できないという問題がある。
また、この発明は雨水が地下に浸透するので、工業用水やトイレの排水といった他の目的に貯蓄した雨水を利用し難く、水資源の有効利用という観点から課題があった。
【０００７】
そこで、地下に貯留槽を埋設して雨水を蓄えておき、その後、公共用水域に排出したり、他の目的に再利用するという方法が考えられる。
ところが、このような雨水対策として地下に埋設する貯留槽は、広範囲に降る雨を蓄える必要があるため数Ｋｍ（キロメートル）に及ぶ大きなものとなる。そのため、雨水の流入口やマンホールの開口部等の位置、換言すると、貯留槽に連通している流路の地表側の開口の位置に土地の傾斜等による高低差が生じている。
【０００８】
そのことにより、集中豪雨等の理由で大量に雨水が流れ込み、貯留槽の水位が上昇すると、高い位置にある開口と連通している流路、特に、雨水等が流れ込む流路が雨水で満たされる前に、低い位置にある開口から雨水があふれ出すという問題が発生する。以下詳細に説明する。なお、図５は本発明を実施しない場合の地下貯留装置の断面図である。
図５に示されるように、流水路が連結されて雨水等が流れ込む流路１０５と、点検用マンホールなどの縦穴１０４とが、貯留槽１０３と地上側を連通しており、流路１０５の地上側開口１０２が、縦穴１０４の地上側開口１０１よりも水平高さにおいて高い位置にある場合を考える。
貯留槽１０３の許容量を超えて雨水が流入し、上記流路１０５内に水が流れ込み続けると、縦穴１０４の開口１０１から水があふれ出してしまう（矢印Ａの方向に水があふれ出す。）。
そのため、開口１０１からあふれ出した水によって、周囲の車や家屋等に被害が発生する恐れがある。
【発明の概要】
【発明が解決しようとする課題】
【０００９】
そこで本発明は、貯留槽と連通する複数の流路の開口を、高さの異なる地表に配置する場合において、貯留槽に溜めた水の水位が上昇した際に、低い位置で地上側へ開口した流路の開口からの水の噴出を防止できる地下貯留装置及び地下貯留方法を提供することを目的とする。
【課題を解決するための手段】
【００１０】
上記課題を解決するための請求項１の発明は、雨水や排水を貯留する地下に埋設する貯留槽と、前記貯留槽と地表を連通し雨水や排水が流れ込む縦方向の流路と、を備えた地下貯留装置であって、前記流路の上下方向の途中箇所に仕切部が設けられており、前記仕切部は開口と、前記仕切部の下方に設けられて前記開口を開閉可能な閉塞部材とを有し、前記閉塞部材が、流路内の水位に応じて浮沈可能であり、流路内の水位が規定の高さに達すると前記閉塞部材が開口を閉じるように構成されたことを特徴とする地下貯留装置である。
【００１１】
本発明の地下貯留装置では、前記貯留槽と地表を連通する複数の流路に、開口と、開口を開閉可能な閉塞部材とを有した仕切部が設けられており、流路内の水位が規定の高さに達した際に閉塞部材が開口を閉じるため、貯留槽側への過剰な水の流入を防止できる。
即ち、流路内の水位（貯留槽に溜めた水の水位）が規定の高さに達した際には、仕切部の開口を閉塞部材によって閉じることにより、貯留槽側への水の流入が止まり、貯留槽に溜めた水の水位が一定以上になるのを防ぐことができる。そのため、貯留槽に溜めた水の水位が上昇を続けて、低い地表に設けた（貯溜槽からの距離が近い）開口から水があふれ出すことを防止できる。
【００１２】
また、閉塞部材を流路内の水位に応じて浮沈させている。すなわち、閉塞部材を水に浮くように形成し、流路内の水位に応じて浮沈させて、仕切部の開口を開閉している。したがって、水位計で検出した水位に応じて、制御装置で閉塞部材を動作させる場合等に比べて、仕切部の開口を開閉する機構の簡易化を図ることができる。また、閉塞部材に複雑な構造を要さないので、頑丈で安価な閉塞部材を有する地下貯留装置を提供することができる。
【００１３】
請求項２の発明は、前記流路の途中には仕切部より上側に、流路内に貯まった水が排出される排水管が接続されていることを特徴とする請求項１に記載の地下貯留装置である。
【００１４】
本発明の地下貯留装置では、仕切部より上側に排水管が設けられているので、閉塞部材が開口を閉じた際に、流路内の仕切部より上側に溜まった水を排出可能である。即ち、流路内の仕切部より地表側に溜まった水を排出することができる。したがって、仕切部の上側に溜まった水の、雨水等を流入する開口からの噴出を防止できる。
【００１５】
請求項３の発明は、前記貯留槽から地表へと連通する点検用縦孔が設けられており、前記点検用縦孔の地表側開口が、水平高さにおいて前記流路内の前記仕切部より上方に設けられていることを特徴とする請求項１又は２のいずれかに記載の地下貯留装置である。
【００１６】
本発明の地下貯留装置では、点検用縦孔を有しており、水位や貯留槽の状態等の地下貯留装置の点検が可能なため、地下貯留装置を安全に運用することができる。
また、点検用縦孔の地表側端部が仕切部より上方に設けられているため、貯留槽の水が飽和状態でも安全に点検作業を行うことができる。そのため、点検用縦孔の地表側端部が仕切部より下方に配された場合に比べて点検作業の効率がよい。
【００１７】
請求項４の発明は、前記流路の側面には、雨水や排水を流入させるための流入管が接続され、前記流入管の接続位置が前記仕切部より上方であることを特徴とする請求項１乃至３のいずれかに記載の地下貯留装置である。
【００１８】
本発明の地下貯留装置では、流路が仕切部を設けた縦孔と、雨水及び氾濫水の流入する流入管によって構成され、縦孔の側面に流入管が接続されている。
そのことにより、地表に設けられた流入管の開口から流入した雨水等が、縦孔を介して貯留槽に流入する。換言すると、流入管から流入した水が、縦孔や別の流入管から流入した水と縦孔で合流する。したがって、貯留槽に流入する水が必ず縦孔内を通るため、縦孔に仕切部を設けることにより、水位の上昇を抑制することができる。
即ち、流入管を設けずに流路（縦孔）を複数設けた上で、直接貯留槽と連通した場合に比べて、地表に設けられた開口の数だけ仕切部を設ける必要がないので、仕切部の配置数を減らすことができる。そのことにより、地下貯留装置の導入コストを低減することができる。
【００１９】
請求項５の発明は、前記閉塞部材が繊維強化発泡樹脂を有することを特徴とする請求項１乃至４のいずれかに記載の地下貯留装置である。
【００２０】
本発明の地下貯留装置では、閉塞部材が繊維強化発泡樹脂を有する。
これにより、閉塞部材が水に浸されても腐食することなく長期間使用することができる。また、発泡した樹脂を用いることにより、閉塞部材が流路内の水に浮くものであり、流路内の水位の変動に応じて浮沈することができる。つまり、閉塞部材は比重が小さく、水面に配置した際、閉塞部材に作用する重力より浮力が上回る構造となる。さらに、発泡ポリウレタン等の繊維強化発泡樹脂は、金属や木材等に比べ腐食しにくく耐久性が高い。
【００２１】
請求項６の発明は、請求項１乃至５のいずれかに記載の地下貯留装置を用いたことを特徴とする地下貯留方法である。
【００２２】
本発明の地下貯留方法では、開閉可能な仕切部によって仕切られているため、貯留槽に溜められた水の水位が、貯留槽に連通している流路内の規定の高さを超えない。したがって、地表に設けた流路の開口に地形に起因する高低差があっても、規定の高さを最も低い位置にある開口より低くすることで、貯留槽に蓄えた水が地表に設けた開口から噴出しない。
また、仕切部の開口を開閉する閉塞部材が、流路内の水位に応じて浮沈するので、仕切部の開閉が容易である。
そして、仕切部の開口が閉じた後に、仕切部より地表側に溜まった水を排水管を介して排出するので、仕切部より地表側に溜まった水が、地表に設けた流路の開口から噴出しない。
【発明の効果】
【００２３】
本発明によれば、貯留槽と連通する複数の流路の開口が、高さの異なる地表に配置されている場合に、貯留槽に溜めた水の水位が上昇した際に、流路の開口からの水の噴出を防止又は、噴出の勢いを低減することができる地下貯留装置及び地下貯留方法を提供することができる。
【図面の簡単な説明】
【００２４】
【図１】本発明の地下貯留装置の断面図である。
【図２】本発明の地下貯留装置の流路を示す断面斜視図である。
【図３】図２の流路の断面図である。
【図４】図３の流路に水が満ちていく様子を示す説明図であり、（ａ）は開口が開いている状態であり、（ｂ）は閉塞部材が水に浸って上昇している状態であり、（ｃ）は閉塞部材が開口を閉じている状態を示す。
【図５】従来の地下貯留装置の断面図である。
【発明を実施するための形態】
【００２５】
以下本発明の具体的な実施形態について説明する。本発明の実施形態における地下貯留装置１は、図１に示されるように、地下に埋設されており、貯留槽２、第１流路３、第２流路４（点検用の人孔などの縦孔）、仕切機構部５（仕切部）、排水管８、流入管１０が設けられている。以下各部材について詳細に説明し、組み立て構成及び機能を説明する。
【００２６】
貯留槽２は、従来の雨水地下貯留槽と同様に、コンクリートや鋼等の強度及び遮水性を有する適宜の材料で形成されている。そして、貯留槽２は内部に空間が設けられており、略円筒形状をしている。具体的に説明すると、円筒状の部材の長手方向両端部の開口を塞いだ様な形状である。
【００２７】
第１流路３（縦孔）は、略円筒状の管であり、コンクリートや鋼等の強度及び遮水性を有する適宜の材料で形成されている。また、この流路は地表５０と貯留槽２を連通しており、地表５０から流入した水を貯留槽２へ流入可能な状態で配されている。また、後述する仕切機構部５が内部の中空孔に設けられている。
【００２８】
第２流路４は、第１流路３と同様に略円筒状の管であり、コンクリートや鋼等の強度及び遮水性を有する適宜の材料で形成され、地表５０と貯留槽２を連通している。また、本発明において第２流路４の地表側の開口４ａは、第１流路３の地表側の開口３ａと比べて低い位置にある場合について述べる。
なお、第２流路４の地表５０側の開口４ａには蓋５１が設けられており、内部の中空孔は人が入って点検作業を行える大きさである。
【００２９】
仕切機構部５は、図２，３に示すように、閉塞部材７、仕切板２１、軸支部材２２、補助軸２３で構成されている。各部材について順に説明する。
【００３０】
閉塞部材７は、略直方体状の部材であり、上面と底面は正方形になっている。そして、閉塞部材７の上面及び底面の面積は、後述する仕切板２１の流入孔２１ａの開口の面積より大きい。さらに、閉塞部材７の中心部分には、補助軸２３を挿通可能な貫通孔７ａが形成されている。この貫通孔７ａは、上面から底面に向かう方向に設けられており、補助軸２３が挿通され固定されている。
また、閉塞部材７の表面は軽量の耐食構造材であるＦＦＵ（ガラス長繊維強化プラスチック発泡体）で形成されている。そして、内部には独立気泡の発泡プラスチックが充填されている。
【００３１】
仕切板２１は、遮水性のある繊維強化発泡樹脂、好ましくは、例えばガラス長繊維強化発泡ウレタン樹脂により形成される板状の部材であり、配置される流路（第１流路３又は第２流路４）の内壁の全周にわたって固着されている。本実施形態では、第１流路３及び第２流路４は円筒状であるため、仕切板２１は円板状となっている。さらに、仕切板２１には流入孔２１ａが設けられている。流入孔２１ａの開口は、表面から裏面に向かって貫通している貫通孔であり、図示した例（図２）では円形であるが、矩形状など様々な形状でよく、閉塞部材７の上面にて隙間なく閉塞可能な面積を有する。つまり、仕切板２１は流路３，４内を上下に仕切っており、仕切板２１で仕切られた上側と下側の間は、流入孔２１ａでのみ水を流通可能であり、流入孔２１ａを塞ぐと仕切板２１の上下が遮断される。
【００３２】
軸支部材２２は、中心部分に貫通孔２２ａが設けられている略角棒状の部材である。なお、貫通孔２２ａの内径は補助軸２３の断面の直径と略同一であり、貫通孔２２ａの中心軸と平行な方向に摺動可能な状態に、補助軸２３を挿通することができる。
また、軸支部材２２の長手方向の長さは、配置される流路（第１流路３又は第２流路４）の中空孔の開口の直径と略同一であり、両端部が内壁に固着されている。
【００３３】
補助軸２３は、鋼材により形成された棒状の部材である。
【００３４】
図１に示されるように、排水管８は、略円筒状の管であり、コンクリートや鋼等の強度及び遮水性を有する適宜の材料で形成されている。また、排水管８は第１流路３と図示しない排水先と連通しており、第１流路３の仕切板２１より上側に溜まった水が排水先へ流出するように設けられている。なお排水先としては所謂公共用水域や地面等の任意の許容量の大きなものであり、本発明では排水管８は集水用配管（図示せず）に接続しているものとする。
【００３５】
流入管１０は、地表５０に設けられた開口１０ａと第１流路３を連通している管であり、コンクリートや鋼等の強度及び遮水性を有する適宜の材料で形成されている。この流入管１０は、地表５０からの流入した水を第１流路３に流入可能に接続されている。
【００３６】
本発明の地下貯留装置１の組み立て構成について説明する。なお、前述したようにすべての部材は地下に埋設されているものとする。
【００３７】
図１に示される様に、流入管１０が接続された第１流路３及び第２流路４（点検用の人孔などの縦孔）は貯留槽２と地表５０の間に設けられており、第２流路４の地表側の開口４ａは第１流路３の地表側の開口３ａより低い位置にある。そして、第１流路３には仕切機構部５が設けられている。また、第２流路４の開口４ａは水平高さにおいて、仮想線Ｈで示す第１流路３の仕切機構部５の高さ（仕切板２１の高さ）より上方に位置している。
さらに、第１流路３の仕切機構部５より地表側の側面には、流入管１０及び排水管８が接続されている。
【００３８】
また、仕切機構部５は図２，３に示される様に、第１流路３に設けられた仕切板２１の上側（地表５０側）と下側（貯留槽２側）にそれぞれ軸支部材２２が設けられている。換言すると、軸支部材２２は第１流路３の上下２箇所に配置され、仕切板２１は２つの軸支部材２２の間に配されている。
仕切板２１の下面（貯留槽２に対向する面）の流入孔２１ａ付近には、止水用の平パッキンであるパッキン３０（図１，３）が設けられている。そして、パッキン３０はクロロプレンゴム、クロロプレンフォーム、シリコンゴム等の合成樹脂により形成されている。
なお、パッキン３０の形状や材質は適宜変更してよい。例えば、図示した例において平パッキンを用いているが、円形パッキン等の別形状のものを用いてもよい。
【００３９】
また、閉塞部材７の中心にある貫通孔に補助軸２３を挿通し、略一体に取り付けられている。ここで、補助軸２３と貫通孔の間に隙間が生じた場合は、スチロール樹脂等の発泡樹脂を隙間に充填する等の方法により、閉塞部材７の内部に水が流入しないようにする。
【００４０】
そして、閉塞部材７の上面から突出している補助軸２３を、仕切板２１の流入孔２１ａと仕切板２１の上側に設けられた軸支部材２２の貫通孔に挿通する。加えて、閉塞部材７の底面から突出している補助軸２３を、仕切板２１の下側に設けられた軸支部材２２の貫通孔に挿通する。
その結果、２つの軸支部材２２の貫通孔を補助軸２３が摺動可能で、補助軸２３と一体に閉塞部材７が仕切板２１と下側の軸支部材２２の間で往復移動できる。
【００４１】
次に、本発明の地下貯留装置１の機能について説明する。図１に示されるように、地表５０上にある水が、直接又は、流入管１０を介して第１流路３に流入する。そして、第１流路３に流入した水は、仕切板２１の流入孔２１ａを流通して貯留槽２に流入し、蓄えられていく。
【００４２】
貯留槽２に水が流入し続けると、やがて貯留槽２の内部が水で満たされた状態になる。その状態で、さらに地下貯留装置１内に水が流入すると、図４（ａ）に示されるように、第１流路３の内部の貯留水５２の水位が上昇する。
【００４３】
その状態で、さらに地下貯留装置１内に水が流入すると、図４（ｂ）に示されるように、第１流路３の水位がさらに上昇し、水５２に閉塞部材７が接触する。そして、閉塞部材７が水に浮くことにより、一体に取り付けられている補助軸２３と共に閉塞部材７が上側（地表側）に移動する。
【００４４】
そして、そのまま地下貯留装置１内に水が流入し続けると、図４（ｃ）に示されるように、閉塞部材７が、仕切板２１の底面側に接触するまで浮き上がり、流入孔２１ａを塞ぐ。その結果、仕切板２１の上下が遮断され、仕切板２１より上側から下側（貯留槽２側）への水の流入が阻止される。ここで、閉塞部材７と仕切板２１の間はパッキン３０により止水されており、流入管１０から流れ込む水は、仕切板２１よりも下へは流れ込むことがない。
【００４５】
このとき、第２流路４の内部の貯留水５２の水位も、第１流路３の内部の貯留水５２の水位と同じ高さで推移するが、第１流路３で、貯留槽２側への水の流入が止まることにより、地下貯留装置１に蓄えられた水は一定の水位（仮想線Ｈで示す仕切板２１の高さ）を超えない。したがって、第２流路４の内部の貯留水５２の水位の上昇が止まることにより、第２流路４の地表側の開口４ａから水があふれ出すことがない。そのことにより、開口付近の家や車等が浸水する等の様々な被害を防止できる。
【００４６】
また、本実施形態のように、第２流路４の開口に蓋５１を設けて点検用縦孔（マンホール）とすると、地下貯留装置１に流入した水の水位が仕切板２１より地表側に移動しないので、地下貯留槽１の水位が上昇することにより、蓋５１が水圧で外れるという問題が発生しない。
さらに、貯留槽２が満水状態でも開口４ａまで水位が上昇しないので、蓋５１を安全に開閉できる。また、水位が規定の高さ以上に上昇しないので、点検作業を安全かつ容易に実行できる。
【００４７】
また、第１流路３が上述のように仕切機構部５で区切られた状態、即ち、閉塞部材７が仕切板２１の流入孔２１ａを塞いだ状態で、第１流路３に流入した水が、一定量に達すると排出管８から水が排出される。そのため、仕切機構部５の上側（地表５０側）に溜まった水の水位は一定の高さ（排出管８の設置高さ）を上回らないので、地下貯留装置１内に水が流入し続けても、第１流路３の地表側の開口から水があふれ出ることがない。
また、閉塞部材７の上に一定以上の水が溜まらないので、流入した水によって閉塞部材７が貯留槽２の方向に押圧され、流入孔２１ａの開口から閉塞部材７が離れることがない。
【００４８】
具体的に説明すると、貯留槽２が密閉されていない場合、即ち、閉塞部材７に加わる貯留水５２の水圧が変化する状況では、各流路内の仕切板２１まで水位が上昇していても、閉塞部材７が貯留槽２に向かう方向へ水圧が加わることにより、閉塞部材７が沈んでしまう場合がある。
そのとき、閉塞部材７の上側（地表５０側）に流入する水量を制限することにより、閉塞部材７に加わる力を制限することで、流入孔２１ａの開口から閉塞部材７が離れることを防ぐことができる。
なお、前述の「貯留槽２が密閉されていない場合」とは貯留槽２が傾いた状態で設けられていたり、別の部材（図示せず）に水を流入するための管が設けられている場合等である。
【００４９】
本実施形態において、流入管１０を一つのみ設けているが、流入管１０の数はこれに限るものではない。流入管１０の数は必要に応じて任意に設定してよい。
また、本実施形態において、第２流路４を点検用縦孔（マンホール）として用いたが、第２流路４の用途はこれに限るものではない。例えば、第１流路３と同様に雨水や氾濫水の流入用の流路として用いてもよい。なお、その場合、第２流路４にも排水管８を接続すると、より効果的に本発明を実施することができる。また、本実施形態では貯留槽２に連通している仕切機構部５を有する流路は１つであるが、流路の数は必要に応じて任意に設定してよい。
【００５０】
本実施形態において、貯留槽２は略円柱状の形状のものを使用した。しかしながら、本発明の地下貯留装置１で使用する貯留槽２の形状はこれに限るものではない。例えば、略直方体状の従来周知の貯水タンクのような形状でもよい。つまり、貯留槽２に水を流入可能な流路と接続されており、地下に埋設可能であり、雨水や氾濫水等の水を貯留可能であればよい。
【００５１】
また、本実施形態において、仕切板２１の閉塞部材７と対向している面にパッキン３０を取り付けたが、パッキン３０を取り付ける場所はここに限るものではない。例えば、閉塞部材７の仕切板２１と対向している面に取り付けてもよい。要は閉塞部材７が仕切板２１と当接した際に、流入孔２１ａを水が流れないように塞げればよい。
【００５２】
なお、閉塞部材７の形状は略直方体としたが、閉塞部材７の形状はこれに限るものではない。例えば、円柱状であってもよいし、球形であってもよい。
また、閉塞部材７は補助軸２３と一体に姿勢を保持して浮沈する構造としたが、閉塞部材７を浮沈させる方法はこれに限るものではない。例えば、軸支部材２２の貫通孔２２ａに補助軸２３を固定し、閉塞部材７の貫通孔７ａに補助軸２３を摺動可能に取り付けて、閉塞部材７のみ補助軸２３に沿う様に浮沈させてもよい。
即ち、閉塞部材７が配置する流路の水位に応じて浮沈し、仕切板２１の流入孔２１ａを止水可能に閉塞できればよい。
【００５３】
補助軸２３は鋼材により形成された棒状の部材としたが、補助軸２３はこれに限るものではない。例えば、鋼管を用いてもよい。なお、鋼管を用いる場合は、底面と上面に蓋をすることにより、鋼管に水が入り込まないようにする。つまり、補助軸２３は閉塞部材７の姿勢を保持できる部材であればよい。
さらに、補助軸２３と閉塞部材７の間の止水は、上記した手段の他に、発泡スチロールを詰めて、補助軸２３の貫通孔の開口付近の部分に周知のパッキンを取り付けること等の他の手段で塞いでもよい。
【００５４】
軸支部材２２と補助軸２３により閉塞部材７の姿勢を保持したが、姿勢を保持する方法はこれに限るものではない。例えば流路の内壁に溝のようなガイドを設けて、棒状の部材を閉塞部材７の側面を貫通するように設け、姿勢を保持してもよい。つまり、閉塞部材７の上面が流入孔２１ａを閉塞可能な位置に浮上すればよい。
【００５５】
さらに、閉塞部材７の表面をＦＦＵで形成したが、閉塞部材７の表面の材料はこれに限るものではない。例えば、鉄やＳＵＳ等の金属を用いることも可能である。
なお、仕切板２１の材料もガラス長繊維強化発泡ウレタン樹脂に限るものではない。ガラス長繊維強化発泡ウレタン樹脂が好ましいが、ＦＲＰやＦＲＰＭ等の合成樹脂により形成してもよい。
【００５６】
加えて、貯留槽２は水平に配置されているものとしたが、貯留槽２は傾けて配置してもよい。その場合、第１流路３の仕切機構部５より上側（地表側）に溜まる水から閉塞部材７が受ける力より閉塞部材７の浮力が上回るように調整すればよい。
その際の閉塞部材７の浮力の調整は、閉塞部材７の下側（貯留槽２側）に追加の閉塞部材を取り付ける等により行えばよい。
なお、図１における上記説明では、貯留槽２と地表５０とを連通する縦孔が１箇所のみの場合を説明したが、縦孔が２箇所以上あり、それぞれの地表５０側への開口の水平高さが異なる場合には、縦穴の開口位置が最も低い縦孔の開口よりも、第１流路３の仕切板２１が低い位置となるようにすればよく、これにより、貯留槽２の許容量以上の水が流入しても、水が縦孔からあふれ出すのを防ぐことができる。
【符号の説明】
【００５７】
１  地下貯留装置
２  貯留槽
３  第１流路（縦孔）
４  第２流路（点検用縦孔）
５  仕切機構部（仕切部）
７  閉塞部材
８  排水管
１０  流入管
【図１】
2011017182.tif 000003
【図２】
2011017182.tif 000004
【図３】
2011017182.tif 000005
【図４】
2011017182.tif 000006
【図５】
2011017182.tif 000007